(57)【要約】【課題】保健所等の施設においてペットの顔や遺伝子の登録を行い、保健所端末から登録された顔や遺伝子情報を蓄積したセンター管理端末とが接続されたネットワークを用いて、迷いペットが生じた場合に、迷いペットの顔や遺伝子情報と、センター管理端末で蓄積された顔や遺伝子情報とを照合し、一定の照合スコア以上の結果が出た場合には、その持ち主へ連絡を行う迷いペット検索システムを提供する。【解決手段】この迷いペット検索システムは、保健所端末Ａ１０や住民の自宅にある住民端末２０や携帯端末３０とネットワーク１００で接続されたセンター管理端末５０において、ペット情報受信手段５１とペット情報記憶手段５２と迷いペット情報受信手段５３と迷いペット情報記憶手段５４とペット照合手段５５とを有し、迷いペットの所有者を見つけ出すための情報を提供する。【選択図】      図３
2005237242.tif 000002
【特許請求の範囲】
【請求項１】
保健所からペットの特徴を示すペット情報を登録する保健所端末Ａと、住民が自宅からペット情報を登録する住民端末と、場所によらず住民が携帯端末でペット情報を登録できる携帯端末と、保健所等で迷いペットが捕獲された場合に迷いペットの特徴を示す迷いペット情報を入力して前記ペット情報と照合する保健所端末Ｂと、前記保健所端末Ａや前記住民端末や前記携帯端末から前記ペット情報の受信、蓄積を行い、前記保健所端末Ｂから受信した前記迷いペット情報と蓄積されている前記ペット情報とを照合し、結果を送信元へ発信するセンター管理端末と、これらを接続するインターネットや専用線等のネットワークとを備えることを特徴とする迷いペット検索システム。
【請求項２】
前記センター管理端末が、保健所等の施設や自宅あるいは携帯端末からペットの特徴を示すペット情報を受信するペット情報受信手段と、受信した前記ペット情報を蓄積するペット情報記憶手段と、捕獲された迷いペットの特徴を示す迷いペット情報を受信する迷いペット情報受信手段と、受信した迷いペット情報を蓄積する迷いペット情報記憶手段と、蓄積されている前記ペット情報から前記迷いペット情報に近い照合スコアが出たペットを優先順位付けするペット照合手段と、該当ペットの所有者及び所有者の連絡先等の関連情報を抽出する抽出手段とを備えることを特徴とする請求項１記載の迷いペット検索システム。
【請求項３】
前記ペット情報及び前記迷いペット情報が、ペットの顔を含むことを特徴とする請求項１または２記載の迷いペット検索システム。
【請求項４】
前記ペット情報及び前記迷いペット情報が、ペットの遺伝子情報を含むことを特徴とする請求項１または２記載の迷いペット検索システム。
【請求項５】
あらかじめ登録しておいたペット情報と、迷いペットの顔や遺伝子情報との照合を行い、照合スコアの高さで順位付けを行い、スコアの高いペット情報を基に、ペットの所有者を探し出す迷いペット検索方法。
【請求項６】
迷いペットの顔や遺伝子情報と、あらかじめ蓄積してあるペット情報の顔や遺伝子情報とを照合して、照合スコアを算出し、順位付けを行うことを特徴とする迷いペット検索プログラム。
【発明の詳細な説明】
【技術分野】
【０００１】
本発明は、住民が飼っている犬、猫などのペットが行方不明になり、保健所等の施設で捕獲された場合に、首輪等ペットの所有者を認識する手段がない場合に、ペットの顔や遺伝子から予め登録しておいたデータベースを検索し、ペットの顔や遺伝子が一致もしくは照合スコアの高いペット情報を抽出し、抽出したペット情報を基にペット所有者を見つけ出す迷いペット検索システム、迷いペット検索方法及び迷いペット検索プログラムに関する。
【背景技術】
【０００２】
従来の保健所等の施設で捕獲されたペットの持ち主を探し出す方法は、ペットの首輪などについている番号タグから予め登録されたデータベースを検索し、持ち主を割り出していた。（例えば、特許文献１参照）。
【０００３】
【特許文献１】特開平７−７２号公報（第２−４頁、図１）
【発明の開示】
【発明が解決しようとする課題】
【０００４】
しかし何らかの事情で、番号タグのついた首輪をしていないペットが捕獲された場合、所有者を捜し出すことは非常に困難であった。またペットの所有者が必死にペットを捜しているにもかかわらず、遠くの自治体等の施設で番号タグのないペットが捕獲された場合は、一定期間後に他のもらい手を見つける等の処分が行われるケースがあった。
【０００５】
本発明の目的は、保健所等の施設においてペットの顔や遺伝子の登録を行う保健所端末と、保健所端末から登録された顔や遺伝子データを蓄積したセンター管理端末とが接続されたネットワークを用いて、迷いペットが生じた場合に、迷いペットの顔や遺伝子情報と、センター管理端末で蓄積された顔や遺伝子情報とを照合し、データの一致もしくは一定の照合スコア以上の結果が出た場合には、そのペット情報を基に、ペットの所有者を探し出す迷いペット検索システム、迷いペット検索方法及び迷いペット検索プログラムを提供することにある。
【課題を解決するための手段】
【０００６】
本発明のセンター管理端末は、保健所等の施設や自宅あるいは携帯端末からペットの顔や遺伝子情報を受信するペット情報受信手段と、受信した前記ペット情報を蓄積するペット情報記憶手段と、捕獲された迷いペットの顔や遺伝子情報を入力情報として、蓄積されているペット情報記憶手段から入力情報と一致もしくは照合スコアの高さでペット情報を優先順位付けし、抽出する手段を有することを特徴とするものである。また場合により、ペットのプライバシーの観点から、遺伝子情報を使わず顔情報だけの登録および抽出手段を有することを特徴とするものである。
【０００７】
本発明のセンター管理端末は、保健所等で捕獲された迷いペットを無事ペットの所有者へ返すことを目的とするものであり、取り扱う情報としては、ペットの顔や遺伝子情報、登録番号、ペットの名前、ペットの生年月日、ペットの種類、ペット所有者の氏名、住所、電話番号、ｅメールアドレス情報等を挙げることができる。
【０００８】
このセンター管理端末は、保健所等の施設にある保健所端末や住民の自宅にある住民端末や住民が所有する携帯端末から入力されたペットに関する情報を受信する手段、受信した情報を蓄積する手段を有しており、迷いペットが生じた場合に迷いペットに関してデータの送受信を行うことができるワークステーション・サーバ等の情報処理装置である。
【０００９】
また、保健所等の施設にある保健所端末は、法人により使用され、ペットに関するペットの顔や遺伝子情報、登録番号、ペットの種類、ペットの名前、ペットの生年月日、ペット所有者の氏名、住所、電話番号、ｅメールアドレス情報をセンター管理端末へ発信する手段と、捕獲した迷いペットの顔 や遺伝子情報をセンター管理端末へ発信する手段を有しており、法人内ネットワークおよびインターネット等のネットワークに接続することができるワークステーション・サーバ、パーソナルコンピュータ、携帯電話、ＰＤＡ等の情報処理装置である。
【００１０】
住民の自宅にある住民端末や住民が所有する携帯端末は、個人により使用され、前記したようなペットに関するペットの顔や遺伝子情報、登録番号、ペットの名前、生年月日、ペット所有者の氏名、住所、電話番号、ｅメールアドレス情報をセンター管理端末へ発信する手段を有しており、インターネット等のネットワークに接続することができるワークステーション・サーバ、パーソナルコンピュータ、携帯電話、ＰＤＡ等の情報処理装置である。
【発明の効果】
【００１１】
本発明によれば、保健所等の施設で迷いペットが捕獲された場合、迷いペットの顔や遺伝子情報をセンター管理端末に照合することにより、同一あるいは似ているペットの優先順位付けリストが出力され、リストに掲載されているペットの所有者に連絡をとり、該当すればペットを引き渡すことができる。これにより、従来行われている捕獲一定期間後の他のもらい手を見つける等の処分件数や処分コストを削減することができる。
【発明を実施するための最良の形態】
【００１２】
次に、発明を実施するための最良の形態について図面を参照して詳細に説明する。
【００１３】
図１を参照すると、本発明の一実施の形態は、保健所等の施設からペット情報を登録する保健所端末Ａ１０と、住民が自宅等からペット情報を登録する住民端末２０と、場所によらず住民が携帯端末でペット情報を登録できる携帯端末３０と、保健所等で迷いペットが捕獲された場合に、迷いペット情報を入力して、ペット情報と照合する保健所端末Ｂ４０と、保健所端末Ａ１０や住民端末２０や携帯端末３０などからペット情報を受信、蓄積を行い、保健所端末Ｂ４０等から受信した迷いペット情報と、蓄積されているペット情報とを照合し、結果を送信元へ発信するセンター管理端末５０と、これらを接続するインターネットや専用線等のネットワーク１００から構成されるシステムを用いて行われる。
【００１４】
このシステムによる動作の概要は以下の通りである。
【００１５】
保健所担当者や住民等は、あらかじめペットの顔や遺伝子情報、ペットの名前、ペットの登録番号、ペットの生年月日、ペットの種類、ペットの大きさ、ペットの所有者、所有者の住所、所有者の連絡先等のペット情報を保健所端末Ａ１０や住民端末２０や携帯端末３０からネットワーク１００を介してセンター端末５０へ登録しておく。
【００１６】
センター管理端末５０は、ペット情報を受信し登録が完了すると、発信元に対しペット登録完了情報を送信する。
【００１７】
迷いペットが保健所等の施設で捕獲された場合、保健所担当者等は、ペットの所有者を探すため、保健所端末Ｂ４０からネットワーク１００を介してセンター管理端末５０へ迷いペットの顔や遺伝子情報を送信する。
【００１８】
センター管理端末５０において、保健所端末Ｂ４０から受信した迷いペットの顔や遺伝子情報と、あらかじめ登録されているペット情報の顔や遺伝子情報とを比較し、比較スコアの順位付けを行う。そして比較の一致もしくは一定スコア以上のペット情報を抽出し、迷いペット情報の送信元へ照合結果情報を送信する。
【００１９】
照合結果を保健所端末Ｂ４０で受信した保健所担当者等は、照合結果を精査しながら、リスト上にあるペット所有者と連絡をとり、迷いペットの所有者を探す。
【００２０】
次に、図１、図２及び図３を参照して本実施の形態の全体の動作について詳細に説明する。
【００２１】
まず、ペット登録を担当している保健所担当者は、保健所等の施設にある保健所端末Ａ１０からネットワーク１００を介してセンター管理端末５０へペットの顔や遺伝子情報、ペットの名前、ペットの登録番号、ペットの生年月日、ペットの種類、ペットの大きさ、ペットの所有者、所有者の住所、所有者の連絡先等のペット情報を送信する。また、住民が自宅にある住民端末２０や携帯端末３０からネットワーク１００を介してセンター管理端末５０へペットの顔や遺伝子情報、ペットの名前、ペットの登録番号、ペットの生年月日、ペットの種類、ペットの大きさ、ペットの所有者、所有者の住所、所有者の連絡先等のペット情報を送信する。これらは基本的に保健所端末Ａ１０、住民端末２０または携帯端末３０の３つの入力方法のうちの１つの方法からの入力となる（図２のステップＡ１）。
【００２２】
センター管理端末５０は、保健所端末Ａ１０や住民端末２０や携帯端末３０からネットワーク１００を介して送られてきたペット情報をペット情報受信手段５１（図３）で受信し、ペット情報記憶手段５２へ登録する（ステップＡ２）。センター管理端末５０は、ネットワーク１００を介してペット情報の送信元である保健所端末Ａ１０や住民端末２０や携帯端末３０に対して、ペット登録完了情報を送信する（ステップＡ３）。ペット情報の送信元である保健所端末Ａ１０や住民端末２０や携帯端末３０は、ネットワーク１００を介して送られてきたペット登録完了情報を受信し、登録する（ステップＡ４）。
【００２３】
次に、保健所等の施設において迷いペットが捕獲された時に、保健所担当者等が保健所端末Ｂ４０からネットワーク１００を介してセンター管理端末５０へ迷いペットの顔や遺伝子情報等の迷いペット情報を送信する（ステップＡ５）。センター管理端末５０は、保健所端末Ｂ４０からネットワーク１００を介して送られてきた迷いペット情報を迷いペット情報受信手段５３で受信し、迷いペット情報記憶手段５４へ登録する（ステップＡ６）。センター管理端末５０は、ペット照合手段５５にて迷いペット情報記憶手段５４で蓄積された迷いペット情報と、ペット情報記憶手段５２で蓄積されているペット情報との照合を行い、照合スコアの順位付けを行った結果の上位を抽出する。照合結果上位の抽出数は設定変更可能である（ステップＡ７）。センター管理端末５０は、ネットワーク１００を介して保健所端末Ｂ４０へステップＡ７で抽出された照合結果と該当するペット情報を送信する（ステップＡ８）。保健所端末Ｂ４０は、センター管理端末５０からネットワーク１００を介して送られてきた照合結果とペット情報を受信し登録する（ステップＡ９）。
【産業上の利用可能性】
【００２４】
本発明によれば、犬、猫等の迷いペットが保健所等に捕獲され、ペットの所有者を探すといった用途に適用できる。
【図面の簡単な説明】
【００２５】
【図１】本発明の一実施の形態のシステム構成を示す図である。
【図２】この実施の形態の動作を示す流れ図である。
【図３】この実施の形態のセンター管理端末のブロック図である。
【符号の説明】
【００２６】
１０    保健所端末Ａ
２０    住民端末
３０    携帯端末
４０    保健所端末Ｂ
５０    センター管理端末
５１    ペット情報受信手段
５２    ペット情報記憶手段
５３    迷いペット情報受信手段
５４    迷いペット情報記憶手段
５５    ペット照合手段
１００    ネットワーク
【図１】
2005237242.tif 000003
【図２】
2005237242.tif 000004
【図３】
2005237242.tif 000005